(57)【要約】【課題】複数原稿の読取における、連続して生成された２つの画像データを関連付けるモードと関連付けないモードとの切り替えの煩わしさを解消する。【解決手段】ＣＰＵ（１１）は、ＡＤＦ（６０）を用いて原稿を移動させながら該原稿の片面を読み取るスキャナ（２００）により、連続して生成された２つの画像データにおける、イメージセンサ（７０）に対する原稿の位置を示す情報に少なくとも基づく所条件が成立した場合、２つの画像データを関連付けて出力する。【選択図】図１
2020162062.tif 000002
【特許請求の範囲】
【請求項１】
自動原稿送り装置を用いて原稿を移動させながら該原稿の片面を読み取る画像読取装置により生成された画像データを処理する画像処理装置であって、
前記片面を読み取る画像読取部に対する、画像読取時の前記原稿の位置を示す読取位置情報であって、前記画像データに対応付けられている前記読取位置情報を、該画像データとともに取得する取得部と、
連続して生成された２つの前記画像データの各々に対応付けられた前記読取位置情報に少なくとも基づく所定の条件が成立した場合、該２つの前記画像データを関連付けて出力する一方、前記所定の条件が成立していない場合、該２つの前記画像データを関連付けて出力しない出力部と、を備える画像処理装置。
【請求項２】
前記読取位置情報が示す前記原稿の位置が、前記画像読取部の右端部より左端部に近い左寄り位置であるか、または、前記左端部より前記右端部に近い右寄り位置であるかを特定する位置特定部をさらに備え、
前記所定の条件は、前記２つの前記画像データにおいて、一方の前記画像データに対応付けられた前記読取位置情報が前記左寄り位置を示し、他方の前記画像データに対応付けられた前記読取位置情報が前記右寄り位置を示すことを含む、請求項１に記載の画像処理装置。
【請求項３】
前記所定の条件が成立した場合、前記２つの前記画像データを関連付けることの是非を、選択肢としてユーザに提示する提示部をさらに備え、
前記出力部は、前記ユーザが、提示された前記選択肢に対して、該２つの前記画像データを関連付けることを示す入力を行った場合、該２つの前記画像データを関連付けて出力する一方、前記ユーザが、提示された前記選択肢に対して、該２つの前記画像データを関連付けないことを示す入力を行った場合、該２つの前記画像データを関連付けて出力しない、請求項１または２に記載の画像処理装置。
【請求項４】
前記取得部は、前記画像データに対応付けられている、該画像データの基となる前記原稿のサイズを示すサイズ情報をさらに取得し、
前記２つの前記画像データにおいて、各々に対応付けられた前記サイズ情報が一致するか否かを判定するサイズ判定部をさらに備え、
前記所定の条件は、前記サイズ判定部が、前記２つの前記画像データの前記サイズ情報が一致すると判定することを含み、
前記出力部は、前記サイズ判定部が、前記２つの前記画像データの前記サイズ情報が一致しないと判定した場合、該２つの前記画像データを関連付けて出力しない、請求項１から３のいずれか１項に記載の画像処理装置。
【請求項５】
白紙原稿から生成された白紙画像データの処理に関するモードについて、前記白紙画像データを、画像データの出力前に削除する第１モードと、前記白紙画像データを、画像データの出力前に削除しない第２モードとをユーザの操作に応じて切り替えるモード切替部をさらに備え、
前記所定の条件は、前記２つの前記画像データのうちの少なくとも一方が前記白紙画像データである場合に前記白紙画像データの処理に関するモードが前記第２モードであることを含む、請求項１から４のいずれか１項に記載の画像処理装置。
【請求項６】
前記２つの前記画像データのうち、先に生成された前記画像データである関連付け待機データが生成されてからの経過時間を計測する計測部をさらに備え、
前記所定の条件は、前記経過時間が所定の閾値に到達する前に、前記関連付け待機データの次の前記画像データが生成されることを含み、
前記出力部は、前記関連付け待機データの次の前記画像データが生成されることなく前記経過時間が所定の閾値に到達した場合、前記関連付け待機データを出力する、請求項１から５のいずれか１項に記載の画像処理装置。
【請求項７】
前記原稿の移動中に原稿詰まりが発生したか否か、および、発生した前記原稿詰まりがが解消したか否かを判定する原稿送り判定部をさらに備え、
前記計測部は、
前記原稿送り判定部が、前記原稿詰まりが発生したと判定した場合、計測した前記経過時間をリセットし、
前記原稿送り判定部が、発生した前記原稿詰まりが解消したと判定した場合、前記経過時間の計測を再開する、請求項６に記載の画像処理装置。
【請求項８】
読み取り対象の原稿を移動させる自動原稿送り装置と、
請求項１〜７のいずれか１項に記載の画像処理装置と、を備え、
前記自動原稿送り装置により原稿を移動させながら該原稿の片面を読み取り、前記画像処理装置の処理対象となる画像データを生成する、画像読取装置。
【請求項９】
自動原稿送り装置を用いて原稿を移動させながら該原稿の片面を読み取る画像読取装置により生成された画像データを処理する画像処理装置の制御方法であって、
前記片面を読み取る画像読取部に対する、画像読取時の前記原稿の位置を示す読取位置情報であって、前記画像データに対応付けられている前記読取位置情報を、該画像データとともに取得する取得ステップと、
連続して生成された２つの前記画像データの各々に対応付けられた前記読取位置情報に少なくとも基づく所定の条件が成立した場合、該２つの前記画像データを関連付けて出力する一方、前記所定の条件が成立していない場合、該２つの前記画像データを関連付けて出力しない出力ステップと、を含む画像処理装置の制御方法。
【請求項１０】
請求項１に記載の画像処理装置としてコンピュータを機能させるための画像処理プログラムであって、前記取得部および前記出力部としてコンピュータを機能させるための画像処理プログラム。
【発明の詳細な説明】
【技術分野】
【０００１】
本発明は、自動原稿送り装置を用いて原稿を移動させながら該原稿の片面を読み取る画像読取装置により生成された画像データを処理する画像処理装置などに関する。
【背景技術】
【０００２】
原稿の片面に記載されている画像を読み取る機能を備えた画像読取装置（以降、「片面読取装置」と記載する）が存在する。片面読取装置を用いて、１枚の原稿の表裏に記載がなされている両面原稿の読取を行う場合、表面および裏面をそれぞれ読み取った後、これらを関連付ける必要がある。従来、この関連付けはユーザ自身がパーソナルコンピュータなどの情報処理装置を用いて行う必要があり、ユーザにとって手間がかかるものであった。
【０００３】
これに対し、特許文献１には、読み取った名刺や葉書の表面と裏面とを自動的に関連付ける技術が開示されている。
【先行技術文献】
【特許文献】
【０００４】
【特許文献１】特開２００７−２０６９３９号公報
【発明の概要】
【発明が解決しようとする課題】
【０００５】
しかしながら、上記特許文献１に記載された技術については、以下のような問題点がある。すなわち、汎用的な読取装置を用いる場合、ユーザが常に両面原稿の読取を行うとは限らない。例えば、複数枚の原稿の読取を行う場合において、該原稿に、両面原稿と片面原稿とが混在していることも考えられる。これに対し特許文献１の技術は、２回の連続する読取を両面原稿の読取とすることを前提としている。換言すれば、特許文献１には、２回の連続する原稿の読取を両面原稿の読取とするか、２回の片面原稿の読取とするかを装置が特定する方法について何ら開示されていない。
【０００６】
仮に、特許文献１に記載のシステムにおいて、該方法が、両面原稿の読取のモードと、片面原稿の読取のモードとを、ユーザの操作によって変更するという方法である場合、ユーザは読取ごとにモードの変更操作を行う必要があり、手間がかかる。換言すれば、特許文献１に記載の技術は、連続して生成された２つの画像データを関連付けるモードと関連付けないモードとの切り替えに、ユーザが煩わしさを感じる可能性がある。
【０００７】
本発明は、上記従来の問題点に鑑みなされたものであって、複数原稿の読取における、連続して生成された２つの画像データを関連付けるモードと関連付けないモードとの切り替えの煩わしさを解消することを目的とする。
【課題を解決するための手段】
【０００８】
前記の課題を解決するために、本発明の一態様に係る画像処理装置は、自動原稿送り装置を用いて原稿を移動させながら該原稿の片面を読み取る画像読取装置により生成された画像データを処理する画像処理装置であって、前記片面を読み取る画像読取部に対する、画像読取時の前記原稿の位置を示す読取位置情報であって、前記画像データに対応付けられている前記読取位置情報を、該画像データとともに取得する取得部と、連続して生成された２つの前記画像データの各々に対応付けられた前記読取位置情報に少なくとも基づく所定の条件が成立した場合、該２つの前記画像データを関連付けて出力する一方、前記所定の条件が成立していない場合、該２つの前記画像データを関連付けて出力しない出力部と、を備える。
【０００９】
前記構成によれば、連続して生成された２つの画像データの各々に対応付けられている読取位置情報に基づく所定の条件が成立する場合、２つの画像データを関連付けて出力し、所定の条件が成立しない場合、２つの画像データを関連付けて出力しない。つまり、画像処理装置は、２つの画像データを関連付けるか否かを自動的に判断する。これにより、原稿を画像読取装置に読み取らせる前に、ユーザが、２つの画像データを関連付けるモードについて、ＯＮ／ＯＦＦの設定操作を行なう必要が無くなる。結果として、複数原稿の読取における、連続して生成された２つの画像データを関連付けるモードと関連付けないモードとの切り替えの煩わしさを解消することができる。また、画像データが生成された後にユーザが２つの画像データを関連付ける操作を行なう必要もなくなる。
【００１０】
また、前記の課題を解決するために、本発明の一態様に係る画像処理装置の制御方法は、自動原稿送り装置を用いて原稿を移動させながら該原稿の片面を読み取る画像読取装置により生成された画像データを処理する画像処理装置の制御方法であって、前記片面を読み取る画像読取部に対する、画像読取時の前記原稿の位置を示す読取位置情報であって、前記画像データに対応付けられている前記読取位置情報を、該画像データとともに取得する取得ステップと、連続して生成された２つの前記画像データの各々に対応付けられた前記読取位置情報に少なくとも基づく所定の条件が成立した場合、該２つの前記画像データを関連付けて出力する一方、前記所定の条件が成立していない場合、該２つの前記画像データを関連付けて出力しない出力ステップと、を含む。
【００１１】
前記構成によれば、本発明の一態様に係る画像処理装置と同様の作用効果を奏する。
【発明の効果】
【００１２】
本発明の一態様によれば、複数原稿の読取における、連続して生成された２つの画像データを関連付けるモードと関連付けないモードとの切り替えの煩わしさを解消することができる。
【図面の簡単な説明】
【００１３】
【図１】本発明の一実施形態に係るＰＣおよびスキャナの構成を示すブロック図である。
【図２】両面原稿の読み取り方法の一具体例を示す図である。
【図３】両面原稿の読み取り方法の別の具体例を示す図である。
【図４】図１に示すＰＣが実行する関連付け処理の流れの一例を示すフローチャートの一部である。
【図５】関連付け処理におけるファイル出力のパターンの具体例を示す図である。
【図６】関連付け処理におけるファイル出力のパターンの別の具体例を示す図である。
【図７】図４に示す関連付け処理の続きを示すフローチャートである。
【図８】白紙除去設定がＯＮの場合の関連付け処理の流れの一例を示すフローチャートである。
【図９】或る変形例におけるＰＣの表示部に表示される画面の一具体例を示す図である。
【発明を実施するための形態】
【００１４】
以下、本発明の一実施形態について、詳細に説明する。図１は、本発明の実施形態１に係るＰＣ（パーソナルコンピュータ）１００およびスキャナ２００の構成を示すブロック図である。スキャナ２００は、画像読取装置の一例としての装置である。
【００１５】
（ＰＣ１００の構成）
ＰＣ１００は、図１に示すように、コントローラ１０を備える。コントローラ１０は、図１に示すように、ＣＰＵ（Central Processing Unit）１１と、ＲＯＭ（Read Only Memory）１２と、ＲＡＭ（Random Access Memory）１３と、ＨＤＤ（Hard Disc Drive）１４とを備える。なお、図１中のコントローラ１０は、ＣＰＵ１１など、ＰＣ１００の制御に利用されるハードウェアを纏めた総称であって、実際にＰＣ１００に存在する単一のハードウェアを表すとは限らない。
【００１６】
ＲＯＭ１２には、ＰＣ１００の起動時にＣＰＵ１１が行う起動処理のプログラムなどを記憶する。該プログラムは、一例として、ＢＩＯＳ（basic input-output system）である。ＲＡＭ１３は、ＣＰＵ１１が各種処理を行う際に一時的な記憶領域として利用される。ＨＤＤ１４は、各種プログラムやデータを記憶する。
【００１７】
ＣＰＵ１１は、画像処理装置の一例としての装置である。ＣＰＵ１１は、ＲＯＭ１２およびＨＤＤ１４から読み出した制御プログラムと、入力される信号とに従って、その処理結果をＲＡＭ１３に記憶させながら、ＰＣ１００の各構成要素を制御する。この結果、ＣＰＵ１１は、画像処理装置の取得部および出力部として機能する。
【００１８】
また、ＰＣ１００は、キーボードやタッチパネルなどからなる入力部２０と、液晶ディスプレイなどからなる表示部３０と、ＵＳＢ（Universal Serial Bus）インターフェース（ＵＳＢ  Ｉ／Ｆ）４１と、ネットワークインターフェース４２とを備える。これらは、コントローラ１０によって制御される。
【００１９】
ＵＳＢインターフェース４１は、他の装置との通信を可能にするハードウェアである。ＵＳＢインターフェース４１には、一例として、スキャナ２００が接続される。これにより、ＰＣ１００とスキャナ２００との通信が実現される。ＵＳＢインターフェース４１の接続先は、スキャナ２００に限定されない。例えば、該接続先は、フラッシュメモリなどの記憶装置、マウスやキーボードなどの入力装置、ディスプレイなどの表示装置であってもよい。
【００２０】
ネットワークインターフェース４２も、ＵＳＢインターフェース４１と同様に、他の装置との通信を可能にするハードウェアである。ＰＣ１００は、一例として、ネットワークインターフェース４２を介して、スキャナ２００と通信してもよい。また、ＰＣ１００は、ネットワークインターフェース４２を介して、図示しないクラウドサーバなどの、ＵＳＢインターフェース４１を介して接続できない装置と通信することができる。ＰＣ１００は、一例として、ＵＳＢインターフェース４１またはネットワークインターフェース４２を介して、スキャナ２００から画像データを受信する。
【００２１】
（スキャナ２００の構成）
スキャナ２００は、ＰＣ１００のＣＰＵ１１の処理対象となる画像データを生成する。スキャナ２００は、図１に示すように、コントローラ５０を備える。コントローラ５０は、図１に示すように、ＣＰＵ５１と、ＲＯＭ５２と、ＲＡＭ５３と、ＮＶＲＡＭ（Non Volatile RAM）５４と、ＡＳＩＣ（Application Specific Integrated Circuit）５５とを備える。なお、図１中のコントローラ５０は、ＣＰＵ５１など、スキャナ２００の制御に利用されるハードウェアを纏めた総称であって、実際にスキャナ２００に存在する単一のハードウェアを表すとは限らない。
【００２２】
ＲＯＭ５２には、スキャナ２００を制御するための制御プログラムであるファームウェアや各種設定、初期値などが記憶されている。ＲＡＭ５３およびＮＶＲＡＭ５４は、各種制御プログラムが読み出される作業領域として、あるいは、画像データを一時的に記憶する記憶領域として利用される。
【００２３】
ＣＰＵ５１およびＡＳＩＣ５５は、ＲＯＭ５２から読み出した制御プログラムおよび入力される信号に従って、その処理結果をＲＡＭ５３やＮＶＲＡＭ５４に記憶させながら、スキャナ２００の各構成要素を制御する。なお、本実施形態では、スキャナ２００の各構成要素の制御をＣＰＵ５１が行うものとして説明するが、該制御はＡＳＩＣ５５が行ってもよいし、ＣＰＵ５１およびＡＳＩＣ５５が、それぞれ、制御の一部を行う構成でもよい。
【００２４】
また、スキャナ２００は、ＡＤＦ（Automatic Document Feeder）６０と、イメージセンサ７０と、ＵＳＢインターフェース８１と、ネットワークインターフェース８２とを備える。
【００２５】
ＡＤＦ６０は、自動原稿送り装置の一例としての装置である。ＡＤＦ６０は、一例として、図示しない原稿載置トレイ、搬送路およびローラからなり、原稿載置トレイ上に載置された原稿、すなわち、読み取り対象の原稿を、イメージセンサ７０が配された方向へ移動させる。
【００２６】
イメージセンサ７０は、画像読取部の一例としてのハードウェアである。イメージセンサ７０は、複数の光学素子で構成され、原稿からの反射光を電気信号に変換して出力する。イメージセンサ７０は、一例として、搬送路の途中に、原稿の移動方向に対して直角に光学素子を一列に並べることにより実現される。イメージセンサ７０としては、ＣＩＳ（Contact Image Sensor）やＣＣＤ（Charge Coupled Device）が適用可能である。
【００２７】
イメージセンサ７０は、原稿の一方の面からの反射光のみを受光するように配置される。換言すれば、スキャナ２００は、ＡＤＦ６０を用いて原稿を移動させながら、イメージセンサ７０により該原稿の片面を読み取り、該片面の画像データを生成する。よって、両面に記載がなされている両面原稿の読み取りをスキャナ２００に行わせる場合、ユーザは、一方の面を読み取らせた後、原稿を裏返し、他方の面を読み取らせる必要がある。
【００２８】
ＵＳＢインターフェース８１およびネットワークインターフェース８２は、他の装置との通信を可能にするハードウェアである。一例として、スキャナ２００は、ＵＳＢインターフェース８１を介してＰＣ１００と接続し、ＰＣ１００との通信を実現する。別の例として、スキャナ２００は、ネットワークインターフェース８２を介してＰＣ１００との通信を実現する。スキャナ２００は、一例として、生成した画像データを、ＵＳＢインターフェース８１またはネットワークインターフェース８２を介してＰＣ１００へ送信する。
【００２９】
＜関連付け処理の概要＞
ＰＣ１００は、イメージセンサ７０に対する、画像読取時の原稿の位置を示す読取位置情報を取得する。該読取位置情報は、画像データに対応付けられてスキャナ２００からＰＣ１００へ送信される。
【００３０】
そして、ＰＣ１００は、連続して生成された２つの画像データの各々に対応付けられた読取位置情報に少なくとも基づく所定の条件が成立した場合、該２つの画像データを関連付けて出力する。「２つの画像データを関連付けて出力する」とは、例えば、２つの画像データの一方を両面原稿の表面の画像データ、他方を裏面の画像データとしてファイルへ出力することであり、本実施形態ではこの例を説明する。なお、「ファイルへ出力する」とは、画像データを所定のファイル形式で、ＨＤＤ１４と、ＰＣ１００が通信可能な記憶装置との少なくともいずれかに記憶することである。
【００３１】
＜両面原稿の読み取り方法＞
図２および図３は、両面原稿の読み取り方法の一具体例を示す図である。図２および図３に示す読み取り方法は、両面原稿を読み取ることにより生成される２つの画像データを、ＰＣ１００にて関連付けて出力するための読み取り方法である。
【００３２】
ユーザはまず、両面原稿３００の表面をスキャナ２００に読み取らせる。このとき、ユーザは、両面原稿３００の左端部を原稿載置トレイの左端に接触させ、両面原稿３００を原稿載置トレイに載置する。以下、この載置を「左寄せ」と称する。左寄せで両面原稿３００を載置することにより、両面原稿３００は、その左端部が搬送路の左端部に接触しながら移動する。そして、両面原稿３００の左端部は、図２に示すように、イメージセンサ７０の左端部に沿って移動する。なお、図２および図３では、イメージセンサ７０を矩形で示しているが、これは、両面原稿の読み取り方法について理解し易いように説明するためのものであり、図２および図３に示す矩形は、イメージセンサ７０の正確な形状を示すものではない。
【００３３】
ＣＰＵ５１は、イメージセンサ７０に対する、画像読取時の両面原稿３００の位置を示す読取位置情報を生成する。ＣＰＵ５１は、一例として、両面原稿３００の左端部および右端部の、イメージセンサ７０に対する位置を特定する。ＣＰＵ５１は、例えば、イメージセンサ７０の左端部を原点とし、原稿の移動方向に対して直角なＸ軸を仮想的に設定しておく。また、ＣＰＵ５１は、イメージセンサ７０の右端部が、原点から何画素の位置にあるか、すなわち、該右端部のｘ座標を予め特定しておく。図２の例では、該ｘ座標はｘ１である。そして、ＣＰＵ５１は、生成した画像データにおいて、左端部および右端部が、原点から何画素の位置にあるかを特定する。換言すれば、ＣＰＵ５１は、画像データの左端部および右端部のｘ座標を特定する。画像データの左端部および右端部は、それぞれ、原稿の左端部および右端部に相当するので、このような処理を行うことで、ＣＰＵ５１は、イメージセンサ７０に対する、画像読取時の両面原稿３００の位置を特定することができる。
【００３４】
図２の例、すなわち左寄せの場合、ＣＰＵ５１は、画像データの左端部のｘ座標を０と特定する。また、ＣＰＵ５１は、画像データの右端部のｘ座標をｘ２と特定する。ＣＰＵ５１は、特定した座標「０、ｘ２」を、読取位置情報として、画像データに対応付けてＰＣ１００へ送信する。
【００３５】
両面原稿３００の表面をスキャナ２００に読み取らせた後、ユーザは、両面原稿３００の裏面をスキャナ２００に読み取らせる。このとき、ユーザは、両面原稿３００の右端部を原稿載置トレイの右端に接触させ、両面原稿３００を原稿載置トレイに載置する。以下、この載置を「右寄せ」と称する。右寄せで両面原稿３００を載置することにより、両面原稿３００は、その右端部が搬送路の右端部に接触しながら移動する。そして、両面原稿３００の右端部は、図３に示すように、イメージセンサ７０の右端部に沿って移動する。
【００３６】
上述したとおり、ＣＰＵ５１は、画像データの左端部および右端部のｘ座標を特定する。図３の例、すなわち右寄せの場合、ＣＰＵ５１は、画像データの左端部のｘ座標をｘ３と特定する。また、ＣＰＵ５１は、画像データの右端部のｘ座標をｘ１と特定する。ＣＰＵ５１は、特定した座標「ｘ３、ｘ１」を、読取位置情報として、画像データに対応付けてＰＣ１００へ送信する。
【００３７】
また、ＣＰＵ５１は、画像データに、該画像データの基となる原稿のサイズ、すなわちスキャンサイズを示すサイズ情報をさらに対応付けてＰＣ１００へ送信する。つまり、ＣＰＵ５１は、読取位置情報およびサイズ情報が対応付けられた画像データをＰＣ１００へ送信する。サイズ情報は、例えば、原稿の用紙サイズ、すなわち、Ａ４、Ｂ４などである。
【００３８】
＜関連付け処理の詳細＞
図４は、ＰＣ１００のＣＰＵ１１が実行する関連付け処理の流れの一例を示すフローチャートの一部である。関連付け処理は、画像処理装置の制御方法の一例である。なお、関連付け処理の流れを説明するにあたり、直近に生成され、ＰＣ１００へ送信された画像データを「スキャンデータ」と称する。
【００３９】
ＣＰＵ１１は、スキャンデータの受信を待機している（ステップＳ１０１）。スキャンデータを受信した場合（ステップＳ１０１でＹＥＳ）、ＣＰＵ１１は、自動判定モードがＯＮになっているか否かを判定する（ステップＳ１０２）。ここで、自動判定モードとは、所定の条件が成立した場合に、連続して生成された２つの画像データを両面原稿の画像データとしてファイルへ出力するモードである。なお、上述したとおり、スキャンデータには読取位置情報が対応付けられているため、ステップＳ１０１においてスキャンデータを受信することは、画像処理装置の制御方法における取得ステップの一例である。
【００４０】
自動判定モードがＯＮであると判定した場合（ステップＳ１０２でＹＥＳ）、ＣＰＵ１１は、待機データ（関連付け待機データ）があるか否かを判定する（ステップＳ１０３）。ここで、待機データとは、スキャンデータの直前に生成され、ＰＣ１００へ送信された画像データである。すなわち、ＰＣ１００は、待機データを一時的に記憶することができる。例えば、ＣＰＵ１１は、ＲＡＭ１３に待機データを一時的に記憶する。
【００４１】
待機データがあると判定した場合（ステップＳ１０３でＹＥＳ）、ＣＰＵ１１は、スキャンデータに対応付けられている読取位置情報を特定する。具体的には、ＣＰＵ１１は、読取位置情報が「左寄せ」を示す情報であるか、または、「右寄せ」を示す情報であるかを特定する。つまり、ＣＰＵ１１は、画像処理装置の位置特定部として機能する。そしてＣＰＵ１１は、スキャンデータに対応付けられている読取位置情報と、待機データに対応付けられている読取位置情報とが一致するか否かを判定する（ステップＳ１０４）。換言すれば、ＣＰＵ１１は、スキャンデータおよび待機データが、（１）両方とも左寄せで読み取られた、（２）両方とも右寄せで読み取られた、（３）一方が左寄せ、他方が右寄せで読み取られた、のいずれであるかを判定する。（１）はすなわち、スキャンデータおよび待機データの左端部のｘ座標がいずれも「０」である場合に相当する。（２）はすなわち、スキャンデータおよび待機データの右端部のｘ座標がいずれも「ｘ１」である場合に相当する。（３）はすなわち、スキャンデータおよび待機データのいずれか一方の左端部が「０」であり、他方の右端部が「ｘ１」である場合に相当する。
【００４２】
読取位置情報が一致しないと判定した場合（ステップＳ１０４でＮＯ）、すなわち、上記（１）〜（３）のうちの（３）であると判定した場合、ＣＰＵ１１は、スキャンデータおよび待機データのスキャンサイズが一致するか否かを判定する（ステップＳ１０５）。つまり、ＣＰＵ１１は、画像処理装置のサイズ判定部として機能する。一致すると判定した場合（ステップＳ１０５でＹＥＳ）、ＣＰＵ１１は、待機データとスキャンデータとを関連付けてファイルへ出力する（Ｓ１０６）。換言すれば、ＣＰＵ１１は、待機データとスキャンデータとを、両面原稿の表裏のファイルとする。ステップＳ１０５の処理は、画像処理装置の制御方法における出力ステップの一例である。そして、ＣＰＵ１１は、タイマをリセットする（Ｓ１０７）。このタイマについての詳細は後述する。そして、関連付け処理はステップＳ１０１へ戻る。ＣＰＵ１１は、関連付け処理をＣＰＵ１１に実行させるアプリケーションが、ユーザの操作に基づいて終了するか、または、ＰＣ１００がユーザの操作に基づいてシャットダウンするまで、関連付け処理を繰り返す。
【００４３】
ステップＳ１０４にて、読取位置情報が一致すると判定した場合（ステップＳ１０４でＹＥＳ）、すなわち、上記（１）〜（３）のうちの（１）または（２）であると判定した場合、ＣＰＵ１１は、待機データのみをファイルへ出力する（ステップＳ１０９）。換言すれば、ＣＰＵ１１は、待機データとスキャンデータとが、両面原稿の表裏のファイルでないとして、これらを関連付けず、待機データのみをファイルへ出力する。また、ステップＳ１０５にて、スキャンサイズが一致しないと判定した場合（ステップＳ１０５でＮＯ）も、ＣＰＵ１１は、待機データのみをファイルへ出力する（ステップＳ１０９）。ステップＳ１０９の処理は、画像処理装置の制御方法における出力ステップの一例である。そして、ＣＰＵ１１は、タイマをリセットする（Ｓ１１０）。
【００４４】
続いてＣＰＵ１１は、スキャンデータを待機データとして保持する（ステップＳ１１１）。そして、ＣＰＵ１１は、タイマによるカウントを開始する（ステップＳ１１２）。つまり、ＣＰＵ１１は、待機データを保持してからの経過時間を計測する。そして、上述したとおり、待機データがファイルへ出力されると経過時間の計測を終了する。なお、画像データは、スキャナ２００で生成されると、自動的にＰＣ１００へ送信される。ＰＣ１００が画像データ、すなわちスキャンデータを受信すると、自動的に関連付け処理が開始される。そして、スキャンデータがスキャナ２００で生成されてから、該スキャンデータおよび待機データの少なくとも一方がファイルへ出力されるまでの処理は短時間で実行される。よって、ＣＰＵ１１が計測する経過時間は、待機データが生成されてからの経過時間と表現することができ、また、ＣＰＵ１１は、画像処理装置の計測部として機能すると表現することができる。なお、ステップＳ１１２以降の処理については後述する。
【００４５】
ステップＳ１０２において、自動判定モードがＯＮでない（ステップＳ１０２でＮＯ）、すなわちＯＦＦであると判定した場合、ＣＰＵ１１は、スキャンデータをファイルへ出力する（ステップＳ１０８）。
【００４６】
ステップＳ１０３において、待機データが無いと判定した場合（ステップＳ１０３でＮＯ）、関連付け処理はステップＳ１１１へ進む。すなわち、ＣＰＵ１１は、受信したスキャンデータを待機データとして保持し、タイマによるカウントを開始する。
【００４７】
（ファイル出力のパターン分け）
図５および図６は、関連付け処理におけるファイル出力のパターンの具体例を示す図である。図５の（Ａ）に示すとおり、ＣＰＵ１１が、左寄せで読み取られ、スキャンサイズがＡ４の待機データ４００Ａを保持している状況で、右寄せで読み取られ、スキャンサイズがＡ４のスキャンデータ４００Ｂを取得したとする。この場合、ＣＰＵ１１は、待機データ４００Ａとスキャンデータ４００Ｂとを関連付けてファイルへ出力する。この例は、図４に示す関連付け処理において、ステップＳ１０４でＮＯ、ステップ１０５でＹＥＳの場合に相当する。
【００４８】
一方、図５の（Ｂ）の例では、待機データ４００Ａは、図５の（Ａ）の例と同様に、左寄せで読み取られ、スキャンサイズがＡ４である。これに対し、スキャンデータ４００Ｂは、スキャンサイズはＡ４であるものの、左寄せで読み取られている。すなわち、待機データ４００Ａとスキャンデータ４００Ｂとは共に左寄せで読み取られている。この場合、ＣＰＵ１１は、待機データ４００Ａのみをファイルへ出力し、スキャンデータ４００Ｂは待機データとして保持する。この例は、図４に示す関連付け処理において、ステップＳ１０４でＹＥＳの場合に相当する。
【００４９】
また、図６の例では、待機データ４００Ａは、図５の（Ａ）の例と同様に、左寄せで読み取られ、スキャンサイズがＡ４である。これに対し、スキャンデータ４００Ｂは、右寄せで読み取られているものの、スキャンサイズはＢ４である。この場合、ＣＰＵ１１は、待機データ４００Ａのみをファイルへ出力し、スキャンデータ４００Ｂは待機データとして保持する。この例は、図４に示す関連付け処理において、ステップＳ１０４でＮＯ、ステップ１０５でＮＯの場合に相当する。
【００５０】
つまり、ＣＰＵ１１は、以下の２つの条件が共に成立した場合、待機データおよびスキャンデータを関連付けてファイルへ出力する。（１）待機データおよびスキャンデータの一方が左寄せで読み取られ、他方が右寄せで読み取られる、（２）待機データおよびスキャンデータのスキャンサイズが一致すると判定される。
【００５１】
（１）に関し、ユーザは、２つの画像データを関連付けたい場合、１回目の読取では原稿を左（または右）に寄せてスキャナ２００に読み取らせ、２回目の読取では、原稿を１回目と異なる側に寄せてスキャナ２００に読み取らせばよい。結果として、ユーザは、原稿の読取位置を変えるだけで、２つの画像データの関連付けを、ＰＣ１００に行わせることができる。
【００５２】
また、（２）に関し、ＰＣ１００は、スキャンサイズが異なる、すなわち、元々別の原稿である２つの画像データは関連付けて出力しない。このため、複数の原稿の読取において、サイズの異なる原稿が混在していたとしても、ユーザの意図通りに画像データが関連付けられる可能性を向上させることができる。
【００５３】
例えば、複数の原稿の読取が両面原稿を片面ずつ読み取ることと、該両面原稿と異なるサイズの原稿を読み取ることとを含んでいる場合、両面原稿の片面の画像データと、異なるサイズの原稿の画像データとが関連付けられることを防ぐことができる。
【００５４】
（関連付け処理：経過時間のカウント）
図７は、図４に示す関連付け処理の続きを示すフローチャートである。ＣＰＵ１１は、ステップＳ１１２で経過時間のカウントを開始すると、タイムアップとなること（ステップＳ２０１）と、スキャンデータの受信とを待機する（ステップＳ２０４）。なお、タイムアップとは、すなわち、経過時間が所定の閾値に到達することである。所定の閾値は、ユーザがスキャンを実行してから、次のスキャンを実行するまでにかかると予想される時間に基づいて決定されればよい。例えば、所定の閾値は、１０秒であってもよいし、３０秒であってもよい。タイムアップとなった場合（ステップＳ２０１でＹＥＳ）、ＣＰＵ１１は、待機データをファイルへ出力する（ステップＳ２０２）。そして、関連付け処理はステップＳ１０７へ進む。すなわち、ＣＰＵ１１はタイマをリセットし、関連付けステップはステップＳ１０１へ戻る。
【００５５】
経過時間が所定の閾値に到達する前（ステップＳ２０１でＮＯ）に、スキャンデータを受信した場合（ステップＳ２０３でＹＥＳ）、関連付け処理はステップＳ１０４へ進む。
【００５６】
このように、ＣＰＵ１１は、経過時間が所定の閾値に到達する前にスキャンデータが生成され、該スキャンデータを受信した場合、上記２つの条件の判定に進む。換言すれば、待機データおよびスキャンデータを関連付けてファイルへ出力するための条件は、「待機データが生成されてからの経過時間が所定の閾値に到達する前にスキャンデータが生成される」を含む。
【００５７】
この構成によれば、先の原稿の読取から充分な時間が経過した後に行われた原稿の読み取りにて生成された画像データは、先の原稿の読み取りにて生成された画像データと関連付けられることはない。これにより、ある原稿群の読み取りの最後の画像データと、ある原稿群の読み取りから充分な時間が経過した後に行われる可能性が高い別の原稿群の読み取りの最初の画像データとが、ユーザの意図に反して関連付けられることを防ぐことができる。
【００５８】
（関連付け処理：原稿詰まりの発生）
スキャナ２００において原稿詰まりが発生した場合、スキャナ２００はその旨をＰＣ１００へ通知する。なお、原稿詰まりは「ジャム」とも称する。また、スキャナ２００は、発生した原稿詰まりが解消した場合、その旨をＰＣ１００へ通知する。つまり、ＰＣ１００のＣＰＵ１１は、スキャナ２００から受信した通知を参照することにより、原稿の移動中に原稿詰まりが発生したか否か、および、発生した原稿詰まりがが解消したか否かを判定することができる。換言すれば、ＣＰＵ１１は、画像処理装置の原稿送り判定部として機能する。
【００５９】
再び図７を参照し、関連付け処理の説明に戻る。ＣＰＵ１１は、タイムアップとなることと、スキャンデータの受信とに加え、原稿詰まりが発生した旨の通知の受信を待機している（ステップＳ２０４）。タイムアップとなる前（ステップＳ２０１でＮＯ）、かつスキャンデータを受信する前（ステップＳ２０３でＮＯ）に、原稿詰まりが発生した旨の通知を受信した場合（ステップＳ２０４でＹＥＳ）、ＣＰＵ１１は、タイマをリセットする（ステップＳ２０５）。そして、ＣＰＵ１１は、発生した原稿詰まりが解消した旨の通知の受信を待機する（ステップＳ２０６）。該通知を受信した場合（ステップＳ２０６でＹＥＳ）、関連付け処理はステップＳ１１２へ進む。すなわち、ＣＰＵ１１は、タイマによるカウントをゼロから再開する。
【００６０】
以上の構成によれば、原稿詰まりが発生した場合に計測した経過時間をリセットするので、「原稿詰まりにユーザが対応している間に経過時間が所定の閾値に到達し、関連付けられるべき２つの画像データが関連付けられない」という状況を防ぐことができる。
【００６１】
（関連付け処理：白紙除去設定）
ＣＰＵ１１は、白紙原稿から生成された白紙画像データについて、画像データをファイルに出力する前に削除する白紙除去設定を、ユーザの操作に応じてＯＮにすることができる。換言すれば、ＣＰＵ１１は、白紙除去設定のＯＮとＯＦＦとを、ユーザの操作に応じて切り換えることができる。白紙除去設定のＯＮとＯＦＦとは、それぞれ、白紙画像データを出力前に削除する第１モード、白紙画像データを出力前に削除しない第２モードと表現することもできる。以上のように、ＣＰＵ１１は、画像処理装置のモード切替部として機能する。
【００６２】
図８は、白紙除去設定がＯＮの場合の関連付け処理の流れの一例を示すフローチャートである。換言すれば、本項より前に説明した関連付け処理は、白紙除去設定がＯＦＦの場合の関連付け処理と表現することもできる。
【００６３】
ＣＰＵ１１は、スキャンデータの受信を待機している（ステップＳ３０１）。スキャンデータを受信した場合（ステップＳ３０１でＹＥＳ）、ＣＰＵ１１は、スキャンデータが白紙であるか否かを判定する（ステップＳ３０２）。スキャンデータが白紙である場合（ステップＳ３０２でＹＥＳ）、ＣＰＵ１１は、スキャンデータを削除する（ステップＳ３０４）。
【００６４】
続いて、ＣＰＵ１１は、待機データがあるか否かを判定する（ステップＳ３０５）。待機データがある場合（ステップＳ３０５でＹＥＳ）、ＣＰＵ１１は、待機データをファイルへ出力し（ステップＳ３０６）、タイマをリセットする（ステップＳ３０７）。そして、関連付け処理は、ステップＳ３０１へ戻る。一方、待機データが無い場合（ステップＳ３０５でＮＯ）、ＣＰＵ１１は、ステップＳ３０６、Ｓ３０７の処理を実行しない。そして、関連付け処理は、ステップＳ３０１へ戻る。
【００６５】
また、ステップＳ３０２において、スキャンデータが白紙でない場合（ステップＳ３０２でＮＯ）、関連付け処理はステップＳ１０２へ進む。
【００６６】
このように、白紙除去設定がＯＮである場合、スキャンデータが白紙であると、待機データとスキャンデータとが関連付けられて出力されない。つまり、待機データおよびスキャンデータを関連付けてファイルへ出力するための条件は、「該２つの画像データのうちの少なくとも一方が白紙画像データである場合に、白紙除去設定がＯＦＦであること」を含む。
【００６７】
そして、以上の構成によれば、複数の原稿の読み取りにおいて、白紙に相当する画像データが生成された場合であっても、ユーザの意図、すなわちモードの設定に応じた画像データの関連付けを行うことができる。
【００６８】
例えば、複数の原稿の読み取りにおいて、該複数の原稿に、両面原稿と片面原稿とが含まれている場合に、白紙除去設定をＯＮとしておく。これにより、ユーザは、所定の方法で原稿を読み取らせることを繰り返すだけで、両面原稿は表面の画像データと裏面の画像データとが関連付けられて出力され、片面原稿は記載がある面の画像データのみが出力される。所定の方法とは、例えば、原稿の表面の読み取りの場合、左寄せで読み取らせ、裏面の読取の場合、右寄せで読み取らせることである、結果として、片面原稿の白紙面の画像データを除去しつつ、両面原稿は画像データを正しく関連付けることができる。
【００６９】
〔変形例〕
【００７０】
図９は、或る変形例におけるＰＣ１００の表示部３０に表示される画面の一具体例を示す図である。
【００７１】
ＣＰＵ１１は、待機データおよびスキャンデータを関連付けてファイルへ出力するための条件が成立した場合、該２つの画像データ関連付けることの是非を、選択肢としてユーザに提示してもよい。つまり、ＣＰＵ１１は、画像処理装置の提示部として機能してもよい。
【００７２】
提示手段の一例として、ＣＰＵ１１は、該２つの画像データ関連付けることの是非を選択肢として示す画像を、表示部３０に表示させてもよい。例えば、ＣＰＵ１１は、図９に示す画像５００を表示部３０に表示させてもよい。画像５００は、選択肢として、ユーザインターフェース５０１および５０２を含む。ユーザインターフェース５０１は、２つの画像データを関連付けるための入力を受け付ける画像である。ユーザインターフェース５０２は、２つの画像データを関連付けないための入力を受け付ける画像である。ユーザは、入力部２０またはＵＳＢインターフェース４１を介して入力された入力装置への入力操作によって、カーソル５０３を、ユーザインターフェース５０１または５０２に重畳するように移動させる。そして、カーソル５０３がユーザインターフェース５０１または５０２に重畳した状態で所定の入力操作、例えば、マウスの左クリックを入力することにより、２つの画像データ関連付けることの是非を選択する。
【００７３】
ＣＰＵ１１は、ユーザが、２つの画像データを関連付けることを選択した場合、待機データとスキャンデータとを関連付けてファイルへ出力する。一方、ユーザが、２つの画像データを関連付けないことを選択した場合、ＣＰＵ１１は、待機データのみをファイルへ出力する。そして、ＣＰＵ１１は、スキャンデータを待機データとして保持する。なお、「ユーザが、２つの画像データを関連付けることを選択した場合」とは、カーソル５０３がユーザインターフェース５０１に重畳した状態で、ユーザが所定の入力操作を行った場合に相当する。また、「ユーザが、２つの画像データを関連付けないことを選択した場合」とは、カーソル５０３がユーザインターフェース５０２に重畳した状態で、ユーザが所定の入力操作を行った場合に相当する。
【００７４】
以上の構成によれば、２つの画像データが関連付けられる前に、ユーザが、該２つの画像データを関連付けるべきか否かを確認することができるため、ユーザの意図通りに画像データが関連付けられる可能性を向上させることができる。
【００７５】
なお、画像５００を表示部３０に表示させる条件は、「待機データおよびスキャンデータを関連付けてファイルへ出力するための条件が成立した場合」に限定されない。例えば、該条件は、「待機データが左寄せまたは右寄せで読み取られている場合において、スキャンデータがイメージセンサ７０の中央付近で読み取られている場合」であってもよい。すなわち、ＣＰＵ１１は、この条件が成立した場合に、画像５００を表示部３０に表示させてもよい。「イメージセンサ７０の中央付近で読み取られている場合」とは、例えば、スキャンデータの左端部のｘ座標が「０」でなく、かつ、右端部のｘ座標が「ｘ１」でない場合である。
【００７６】
また、上述した実施形態では、両面原稿３００の左端部を原稿載置トレイの左端に接触させて載置した場合を「左寄せ」、両面原稿３００の右端部を原稿載置トレイの右端に接触させて載置した場合を「右寄せ」と定義していた。一方で、左寄せおよび右寄せの定義はこの例に限定されない。具体的には、原稿の中心線が原稿載置トレイの中心線より左側にある場合を「左寄せ」と定義してもよい。また、原稿の中心線が原稿載置トレイの中心線より右側にある場合を「右寄せ」と定義してもよい。原稿の中心線とは、原稿の移動方向に平行な線であり、原稿を等分する線である。原稿載置トレイの中心線とは、原稿の移動方向に平行な線であり、原稿載置トレイを等分する線である。
【００７７】
換言すれば、上述した実施形態では、画像データの左端部のｘ座標が「０」である場合を「左寄せ」、画像データの右端部のｘ座標が「ｘ１」である場合を「右寄せ」と定義していた。これに対し、画像データの左端部のｘ座標が、０からｘＬまでの範囲にある場合を「左寄せ」と定義し、画像データの右端部のｘ座標が、ｘＲからｘ１までの範囲にある場合を「右寄せ」と定義してもよい。「ｘＬ」とは、０からｘ１までの間にある座標であって、ｘ１より０、すなわち原点に近い座標である。また、「ｘＲ」とは、０からｘ１までの間にある座標であって、０よりｘ１に近い座標である。
【００７８】
また、上述した実施形態では、「２つの画像データを関連付けて出力する」を、２つの画像データの一方を両面原稿の表面の画像データ、他方を裏面の画像データとしてファイルへ出力することと定義していた。これに対し、「２つの画像データを関連付けて出力する」の定義は、この例に限定されない。例えば、「２つの画像データを関連付けて出力する」とは、「２つの原稿の各々を読み取ることで生成された２つの画像データを関連付けてファイルへ出力すること」を含んでもよい。この例においてユーザは、２つの原稿の幅が、原稿載置トレイを上述の中心線で等分した領域の幅以下である場合、一方の原稿の読み取り中に、他方の原稿の読み取りを開始することもできる。
【００７９】
また、待機データおよびスキャンデータを関連付けてファイルへ出力するための条件は、上述した実施形態で説明した条件のうち、「待機データおよびスキャンデータの一方が左寄せで読み取られ、他方が右寄せで読み取られる」を少なくとも含んでいればよい。
【００８０】
また、待機データおよびスキャンデータを関連付けてファイルへ出力するための条件は、上述した実施形態で説明した条件以外の条件を含んでいてもよい。例えば、「スキャンデータの取得前に設定が変更されていない」との条件を含んでいてもよい。換言すれば、ＣＰＵ１１は、スキャンデータの取得前に設定が変更された場合、待機データのみをファイルへ出力してもよい。ここで設定の変更とは、例えば、ファイルタイプの変更、解像度の変更、カラー設定の変更などであるが、これに限定されない。ファイルタイプとは、出力される画像データのファイル形式であり、例えば、ＰＤＦ（Portable Document Format）、ＪＰＥＧ（Joint Photographic Experts Group）、ＴＩＦＦ（Tagged Image File Format）などが挙げられる。また、カラー設定の変更とは、例えば、カラーの画像データとするか、または、白黒の画像データとするかの変更である。
【００８１】
また、上述した実施形態では、待機データおよびスキャンデータを関連付けてファイルへ出力するための条件が成立しなかった場合、待機データのみをファイルへ出力していた。これに対し、該条件が成立しなかった場合にＣＰＵ１１が実行する処理は、この例に限定されない。例えば、ＣＰＵ１１は、該条件が成立しなかった場合、待機データとスキャンデータとを、関連付けずにファイルへ出力してもよい。該条件が成立しなかった場合にＣＰＵ１１が実行する処理は、２つの画像データを関連付けて出力しない処理であれば、どのような処理であってもよい。
【００８２】
また、上述した実施形態では、ＰＣ１００のＣＰＵ１１が、画像処理装置の一例である例を説明した。これに対し、スキャナ２００のＣＰＵ５１およびＡＳＩＣ５５の少なくとも一方が、画像処理装置の一例であってもよい。換言すれば、関連付け処理をスキャナ２００が実行してもよい。この例においても、ＣＰＵ１１が、画像処理装置の一例である例と同様の作用効果を奏する。
【００８３】
また、この場合、ＣＰＵ５１およびＡＳＩＣ５５の少なくとも一方は、画像データをファイルへ出力する場合に、該ファイルを、ＵＳＢインターフェース８１を介してフラッシュメモリ（ＵＳＢメモリ）などの記憶装置に記憶してもよい。また、スキャナ２００は、ＳＤカードを接続するためのインターフェースを備え、画像データをファイルへ出力する場合に、該ファイルを、該インターフェースに接続されたＳＤメモリカードに記憶してもよい。
【００８４】
〔ソフトウェアによる実現例〕
ＰＣ１００およびスキャナ２００の制御ブロックは、集積回路（ＩＣチップ）等に形成された論理回路（ハードウェア）によって実現してもよいし、ソフトウェアによって実現してもよい。
【００８５】
後者の場合、ＰＣ１００およびスキャナ２００は、各機能を実現するソフトウェアであるプログラム（画像処理プログラム）の命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８７】
１１    ＣＰＵ（画像処理装置、取得部、出力部、位置特定部、提示部、サイズ判定部、モード切替部、計測部、原稿送り判定部）
６０    ＡＤＦ（自動原稿送り装置）
７０    イメージセンサ（画像読取部）
２００  スキャナ（画像読取装置）
【図１】
2020162062.tif 000003
【図２】
2020162062.tif 000004
【図３】
2020162062.tif 000005
【図４】
2020162062.tif 000006
【図５】
2020162062.tif 000007
【図６】
2020162062.tif 000008
【図７】
2020162062.tif 000009
【図８】
2020162062.tif 000010
【図９】
2020162062.tif 000011